(57)【要約】【課題】位置ずれを防止でき、しかも被取付面に対する配線・配管材の固定力の大きな固定具の提供である。【解決手段】ケーブル（配線・配管材）Ｋを保持する保持板部１０と、該保持板部１０の長手方向の一端のみに一体に設けられて、被取付面Ｐに固定される固定板部２０とを有し、前記固定板部２０には、前記被取付面Ｐに喰い込む突起体２２が設けられている構成とする。【選択図】　　　　図４
2004023865.tif 000002
【特許請求の範囲】
【請求項１】
配線・配管材を保持する保持部と、該保持部の長手方向の一端のみに一体に設けられて、被取付面に固定される固定部とを有し、
前記固定部には、前記被取付面に喰い込む突起体が設けられていることを特徴とする配線・配管材固定具。
【請求項２】
前記固定部に対する突起体の形成位置は、該固定部に設けられた貫通孔の中心よりも前記保持部と反対の側であることを特徴とする請求項１に記載の配線・配管材固定具。
【請求項３】
前記突起体は、固定時における固定具の連れ廻りを防止すべく、切り起こして形成されていることを特徴とする請求項１又は２記載の配線・配管材固定具。
【発明の詳細な説明】
【０００１】
【発明の属する技術分野】
本発明は、ケーブル等の配線・配管材を、側壁面、天井面等の被取付面との間で挟持して固定するための配線・配管材固定具に関するものである。本発明に係る配線・配管材は、当業界では「サドル」と称されている。
【０００２】
【従来の技術】
上記した配線・配管材を固定する固定具として、被取付面との間で挟持するようにして配線・配管材の外面を保持する保持部と、該保持部の長手方向の端部に一体に設けられて、被取付面に対して当接状態で固定される固定部とを有するものが知られている。そして、保持部に配線・配管材を保持させた状態で、固定部に設けられた貫通孔に小ねじ、釘等を用いて、前記固定具を被取付面に固定することにより、被取付面に配線・配管材を固定できる。
【０００３】
しかし、従来の固定具は、その固定部が被取付面に対して単に当接しているのみの構造であったため、上記した小ねじ、釘等を使用して固定する際に、或いは固定後において、配線・配管材により引っ張られる等して、位置ずれ（配線・配管材の配設方向に対して固定具が直交していない配置状態をいう）することがあった。この位置ずれは、保持部の長手方向の一端のみに固定部が設けられた固定具（いわゆる「片サドル」）の場合に発生する頻度が高い。この固定具は、室内に露出されたままの場合が殆どであるので、その位置ずれによって、室内の美観が害される。
【０００４】
【発明が解決しようとする課題】
本発明の課題は、上記「位置ずれ」を防止でき、しかも被取付面に対する配線・配管材の固定力の大きな固定具の提供である。
【０００５】
【課題を解決するための手段】
上記の課題を解決するための請求項１の発明は、配線・配管材を保持する保持部と、該保持部の長手方向の一端のみに一体に設けられて、被取付面に固定される固定部とを有し、前記固定部には、前記被取付面に喰い込む突起体が設けられていることを特徴としている。
【０００６】
請求項１の発明によれば、前記固定部は、前記保持部の長手方向の一端のみに設けられていて、保持部が片持ち状となるために、「位置ずれ」し易いが、固定部に設けられた突起体が被取付面に喰い込むために、固定具の固定中又は固定後において、配線・配管材が引っ張られる等して固定具に回転力が作用しても、回動させられて「位置ずれ」することはない。
【０００７】
請求項２の発明は、請求項１の発明において、前記固定部に対する突起体の形成位置は、該固定部に設けられた貫通孔の中心よりも前記保持部と反対の側であることを特徴としている。この構成によって、固定部と保持部との接続部は、常に被取付面に接するので、小ねじ類を用いて固定具を被取付面に固定する際に、突起体が被取付面にしっかりと喰い込んでいなくても、保持部が浮き上がらなくなって、被取付面に対して配線・配管材をしっかりと固定できる。
【０００８】
請求項３の発明は、請求項１又は２の発明において、前記突起体は、固定時における固定具の連れ廻りを防止すべく、切り起こして形成されていることを特徴としている。この構成により、小ねじ類を使用して、固定具を被取付面に固定する際における「連れ廻り抵抗」が大きくなるので、固定中における固定具の「連れ廻り」が防止されて、「位置ずれ」することなく、固定具を正しい位置に固定できる。
【０００９】
【発明の実施の形態】
以下、実施形態を挙げて、本発明について更に詳細に説明する。図１は、本発明に係る固定具Ｆを斜下方から見た斜視図であり、図２（イ），（ロ），（ハ）は、それぞれ固定具Ｆの平面図、正面図及び同（イ）のＸ矢視図であり、図３は、固定具Ｆの底面図である。この固定具Ｆは、当業界で「片サドル」と称されるものであって、建物の側壁面Ｗａ、天井面Ｗｂ等の被取付面Ｐとの間でケーブルＫを挟持するようにして、その外側を保持する半短円筒状をした保持板部１０と、該保持板部１０の長手方向の反自由端側に、そのわん曲方向と反対側にほぼ９０°屈曲されて連続形成されて、前記被取付面に対して固定される平板状をした固定板部２０とで構成される。固定具Ｆを構成する保持板部１０と固定板部２０とは、接続部３０を介して接続されている。
【００１０】
また、半短円筒状をした保持板部１０は、その幅方向の中央部が外側に膨出されて補強リブ１１となっていて、その自由端側の端部の両角部は、大きく面取りされている。また、平板状をした固定板部２０は、その幅方向（取付状態におけるケーブルＫの配設方向Ｑと同一方向）の中央部には、前記配設方向Ｑと直交する方向に沿って長孔状となった小ねじ類の貫通孔２１が形成されている。固定板部２０の自由端側の端部の両角部は、前記保持板部１０の自由端側の端部と同様に大きく面取りされている。
【００１１】
また、固定板部２０の幅方向の対向両端部の前記貫通孔２１に近くて、しかも前記貫通孔２１の中心Ｃに関して保持板部１０と反対側の部分に、一対の突起体２２が下方に切り起こされて形成されている。即ち、前記突起体２２は、図１ないし図３に示されるように、分離切起し辺２３と接続切起し辺２４で二辺を構成する平面視で三角形状の部分が下方に、９０°よりも僅かに小さな角度だけ切り起こされて形成される。この接続切起し辺２４とケーブルＫの配設方向Ｑとは、比較的小さな角度（実施形態では、約２５°）で交差している。図３に示されるように、突起体２２における被取付面Ｐに喰い込む面は、切起し前において底面となっていた第１平面部２２ａと、同じく側端面となっていた第２平面部２２ｂと、同じく分離切起し辺２３と接続していた第３平面部２２ｃとの３面で構成され、この３面の交点である最先端２２ｄは、先鋭に形成されている。
【００１２】
そして、例えば、図６に示されるように、室内の側壁面Ｗａにおける天井面Ｗｂとの入隅部に近い部分に配設されるケーブルＫを側壁面Ｗａに固定する際に、該ケーブルＫは、その配設方向Ｑに沿って所定間隔をおいた多数の部分において前記固定具Ｆにより固定される。
【００１３】
また、図４は、固定具Ｆを被取付面Ｐに固定している途中の側面図であり、図５（イ），（ロ）　は、それぞれ固定具Ｆを介してケーブルＫが被取付面Ｐに固定された状態の平面図及び側面図である。そして、固定具Ｆを側壁面Ｗａに固定するには、従来の固定具と同様にして、その保持板部１０によりケーブルＫの外側を保持して、該保持板部１０と側壁面Ｗａとの間でケーブルＫを挟持した状態で、その固定板部２０の貫通孔２１に小ねじＳの先端部を挿入して、側壁面Ｗａにねじ込んで行う。ここで、上記したように、一対の突起体２２は、固定具Ｆの固定板部２０における貫通孔２１の中心Ｃに関して保持板部１０と反対側の部分に形成されているので、図４に示されるように、保持板部１０と側壁面Ｗａとの間でケーブルＫを挟持した状態で、保持板部１０と固定板部２０とを接続している接続部３０が側壁面Ｗａに当接して、固定板部２０の自由端部は、側壁面Ｗａに対して僅かに浮いた状態となる。
【００１４】
よって、小ねじＳを用いて固定具Ｆを側壁面Ｗａに固定する際に、その突起体２２が側壁面Ｗａにしっかりと喰い込んでいなくても、保持板部１０が浮き上がらなくなって、側壁面Ｗａに対してケーブルＫをしっかりと固定できる。即ち、固定具Ｆは、その接続部３０が側壁面Ｗａに常に当接して、ケーブルＫに対する保持板部１０の位置が殆ど変化しない状態で、一対の突起体２２が徐々に側壁面Ｗａに喰い込んで、図５に示されるように、固定板部２０が側壁面Ｗａに密着することにより、固定具ＦによってケーブルＫが部分的に固定される。
【００１５】
また、小ねじＳを回転させて、側壁面Ｗａにねじ込む際においても、一対の突起体２２は、貫通孔２１に近い部分に形成され、しかも各突起体２２の接続切起し辺２４とケーブルＫの配設方向Ｑとの交差角度は、比較的小さい（実施形態では、約２５°）ために、固定具Ｆの「連れ廻り抵抗」が大きくなる。よって、小ねじＳの回転中における固定具Ｆに回転力Ｔ〔図５（イ）参照〕が作用しても、該固定具Ｆの「連れ廻り」がなくなって、固定具Ｆは、正しい位置（ケーブルＫの配設方向Ｑと直交する方向）に固定される。なお、前記交差角度を上記実施形態の場合（約２５°）よりも更に小さくしたり、或いは各突起体２２の接続切起し辺２４とケーブルＫの配設方向Ｑとを平行にすると、固定具Ｆの「連れ廻り」を防止する効果は、一層高まる。
【００１６】
このように、側壁面Ｗａに小ねじＳを介して固定具Ｆが固定された状態では、固定板部２０に一体に形成された一対の突起体２２が側壁面Ｗａに喰い込んでいる。よって、固定具Ｆの固定途中、或いは固定後において、ケーブルＫが引っ張られても、これに追随して固定具Ｆが回動されて「位置ずれ」しなくなる。特に、上記実施形態の固定具Ｆは、その保持板部１０の長手方向の一端部のみに固定板部２０が連設された構成の「片サドル」であるために、ケーブルＫの上記引っ張りによって回動されて「位置ずれ」し易いが、固定板部２０に一体に設けられた一対の突起体２２の存在によって、上記「位置ずれ」が防止される。
【００１７】
また、上記実施形態の固定具Ｆは、保持板部１０の長手方向の一端のみに固定板部２０が設けられた「片サドル」であって、配線時におけるケーブルＫの引っ張りによって、回動され易い構造であるために、本発明の実施により奏される固定具の回動防止の効果が多大である。しかし、本発明は、保持板部の長手方向の両端にそれぞれ固定板部が設けられた「両サドル」に対して実施することも可能である。この「両サドル」においても、最初に固定板部を固定する際には、小ねじ類の回転力により固定具が「連れ廻り」される恐れがあるが、該固定板部に設けられた突起体が被取付面に喰い込んでいるために、上記「連れ廻り」が防止されることにより、「位置ずれ」が防止されて、固定具を正しい位置に固定可能となる。
【００１８】
また、固定板部に設けられる突起体に関しても、上記実施形態では、固定板部における貫通孔の中心に対して保持板部と反対の側に設けることにより、上述したように、保持板部が浮き上がらなくなって、突起体が被取付面に十分に喰い込んでいなくても、保持板部の移動が少なくなって、被取付面に対して固定具をしっかりと固定できる利点がある。しかし、本発明においては、突起体は、固定板部に設けられていて、固定具の固定状態で被取付面に喰い込めば足りるので、固定板部に設ける位置は、必ずしも上記位置に限定されないと共に、その数に関しても、上記実施形態のように一対（２個）である必要はない。
【００１９】
【発明の効果】
本発明に係る配線・配管材固定具は、その固定部に設けられた突起体が被取付面に喰い込むために、固定具の固定中又は固定後において、配線・配管材が引っ張られる等して固定具に回転力が作用しても、回動させられて「位置ずれ」しなくなる。
【図面の簡単な説明】
【図１】本発明に係る固定具Ｆを斜下方から見た斜視図である。
【図２】（イ），（ロ），（ハ）は、それぞれ固定具Ｆの平面図、正面図及び同（イ）のＸ矢視図である。
【図３】固定具Ｆの底面図である。
【図４】固定具Ｆを被取付面Ｐに固定している途中の側面図である。
【図５】（イ），（ロ）　は、それぞれ固定具Ｆを介してケーブルＫが被取付面Ｐに固定された状態の平面図及び側面図である。
【図６】室内の側壁面Ｗａにおける天井面Ｗｂとの入隅部に近い部分に配設されるケーブルＫが固定具Ｆを介して側壁面Ｗａに固定された状態の部分斜視図である。
【符号の説明】
Ｃ：貫通孔の中心
Ｆ：固定具
Ｋ：ケーブル（配線・配管材）
Ｐ：被取付面
Ｑ：ケーブルの配設方向
Ｗａ：側壁面（被取付面）
１０：保持板部
２０：固定板部
２２：突起体
【図１】
2004023865.tif 000003
【図２】
2004023865.tif 000004
【図３】
2004023865.tif 000005
【図４】
2004023865.tif 000006
【図５】
2004023865.tif 000007
【図６】
2004023865.tif 000008